(57)【要約】【課題】医療器具を確実にガス滅菌することが可能な滅菌ケースを提供する。【解決手段】この滅菌ケースは、医療器具を収容し、挿通孔３６を有する滅菌トレー２４と、医療器具を保持する保持部３４及び挿通孔３６に挿通され滅菌トレー２４に固定される固定部を有する保持部材３２と、滅菌トレー２４と固定部との間に形成され、滅菌トレー２４の外部と内部とを連通する連通部４８と、を有する。【選択図】図３Ｃ
2008253567.tif 000002
【特許請求の範囲】
【請求項１】
医療器具を収容し、挿通孔を有する滅菌トレーと、
前記医療器具を保持する保持部及び前記挿通孔に挿通され前記滅菌トレーに固定される固定部を有する保持部材と、
前記滅菌トレーと前記固定部との間に形成され、前記滅菌トレーの外部と内部とを連通する連通部と、
を具備することを特徴とする滅菌ケース。
【請求項２】
前記連通部は、前記滅菌トレーに形成され前記滅菌トレーと前記固定部との間に位置される隙間部により形成されている、
ことを特徴とする請求項１に記載の滅菌ケース。
【請求項３】
前記隙間部は、前記固定部を前記挿通孔へと誘導する誘導部を有する、
ことを特徴とする請求項２に記載の滅菌ケース。
【請求項４】
前記連通部は、前記保持部材に形成され前記固定部と前記滅菌トレーとの間に位置される隙間部により形成されている、
ことを特徴とする請求項１に記載の滅菌ケース。
【請求項５】
請求項２又は３に記載の滅菌ケースの滅菌トレー。
【請求項６】
請求項４に記載の滅菌ケースの保持部材。
【発明の詳細な説明】
【技術分野】
【０００１】
本発明は、オートクレーブ滅菌装置、エチレンオキサイド滅菌装置等の滅菌庫内に投入されて、収容した医療器具をガス滅菌するための滅菌ケースに関する。
【背景技術】
【０００２】
特許文献１には、内視鏡用滅菌装置が開示されている。この内視鏡用滅菌装置では、滅菌庫内の棚にトレーが装着されており、トレーの上面に内視鏡を渦巻き状態に保持するための多数のガイドピンが配設されている。また、棚やトレーには、棚やトレーによって滅菌ガスの流れを遮断しないように多数の貫通孔が形成されている。
【０００３】
一方、特許文献２には、滅菌ケースに関連する技術して、内視鏡用処置具の洗浄用ケースが開示されている。この洗浄用ケースは箱状であり、洗浄用ケースの床壁には洗浄用ケース内に洗浄液を導入するための貫通孔が多数形成されている。洗浄用ケースの床壁上には、内視鏡用処置具を洗浄に適した配置に保持するための仕切り壁等が載置されている。
【特許文献１】特開２００３−３３９６３９号公報
【特許文献２】特開２００１−２５８９０２号公報
【発明の開示】
【発明が解決しようとする課題】
【０００４】
特許文献１の内視鏡用滅菌装置では、ガイドピンの配設されている箇所では内視鏡へと滅菌ガスが導入されにくく、内視鏡を確実にガス滅菌することが困難である。
【０００５】
また、特許文献２の洗浄用ケースでは、仕切り壁は洗浄用ケースに単に載置されているだけであり、固定されているわけではなく、内視鏡用処置具を洗浄に適した配置に確実に保持することが難しく、内視鏡用処置具を確実に洗浄することが困難である。
【０００６】
本発明は、上記課題に着目してなされたもので、その目的とするところは、医療器具を確実にガス滅菌することが可能な滅菌ケースを提供することである。
【課題を解決するための手段】
【０００７】
本発明の第１実施態様では、滅菌ケースは、医療器具を収容し、挿通孔を有する滅菌トレーと、前記医療器具を保持する保持部及び前記挿通孔に挿通され前記滅菌トレーに固定される固定部を有する保持部材と、前記滅菌トレーと前記固定部との間に形成され、前記滅菌トレーの外部と内部とを連通する連通部と、を具備することを特徴とする。
【０００８】
本発明の第２実施態様では、滅菌ケースは、前記連通部は、前記滅菌トレーに形成され前記滅菌トレーと前記固定部との間に位置される隙間部により形成されている、ことを特徴とする。
【０００９】
本発明の第３実施態様では、滅菌ケースは、前記隙間部は、前記固定部を前記挿通孔へと誘導する誘導部を有する、ことを特徴とする。
【００１０】
本発明の第４実施態様では、滅菌ケースは、前記連通部は、前記保持部材に形成され前記固定部と前記滅菌トレーとの間に位置される隙間部により形成されている、ことを特徴とする。
【発明の効果】
【００１１】
本発明の第１実施態様の滅菌ケースでは、滅菌トレーに固定されている保持部材により医療器具をガス滅菌に適した配置に確実に保持することができ、また、連通部によって滅菌ケース内の医療器具へと充分に滅菌ガスを導入することができるため、医療器具を確実にガス滅菌することが可能となっている。
【００１２】
本発明の第２実施態様の滅菌ケースでは、滅菌トレーの挿通孔に保持部材の固定部を挿通する際に、滅菌トレーに形成されている隙間部のスペースを利用することで、保持部材を容易に挿通することが可能となっている。
【００１３】
本発明の第３実施態様の滅菌ケースでは、滅菌トレーの挿通孔に保持部材の固定部を挿通する際には、誘導部によって固定部が挿通孔へと誘導されるため、挿通孔に固定部を容易に挿通することが可能となっている。
【００１４】
本発明の第４実施態様の滅菌ケースでは、連通部が形成されていない滅菌ケースに対して、保持部材を隙間部が形成されている保持部材に交換するだけで、連通部が形成されている滅菌ケースを形成することができ、滅菌ケースを安価に形成することが可能となっている。
【発明を実施するための最良の形態】
【００１５】
以下、本発明の各実施形態を図面を参照して説明する。
【００１６】
図１乃至図６は、本発明の第１実施形態を示す。
【００１７】
図１を参照し、本実施形態の滅菌ケース２０は、医療器具としての内視鏡を収容する滅菌トレー２４を有する。この滅菌トレー２４は、オートクレーブ滅菌、エチレンオキサイド滅菌等のガス滅菌に対する耐熱性、耐薬品性を有し、滅菌庫内での複数の滅菌トレー２４の重畳に耐える強度を有する材料、例えば、ステンレス等の金属、ポリフェニルサルフォン等の樹脂によって形成されている。この滅菌トレー２４には滅菌カバー２６が着脱自在に覆設されている。滅菌トレー２４の側壁及び底壁、滅菌カバー２６の上壁には、滅菌ケース２０内に滅菌ガスを導入するための多数の通気孔２８が規則的に配置されている。なお、滅菌カバー２６の上面には複数の突起部３０が形成されており、これら突起部３０は、滅菌庫内で複数の滅菌ケース２０を重畳した場合に、上方の滅菌トレー２４の底面を受けて下方の滅菌カバー２６の上面から離間させるものである。
【００１８】
図２を参照し、滅菌トレー２４の底壁の上面には、板状の多数の保持部材３２が立設されている。各保持部材３２には、内視鏡に嵌合されて弾性により内視鏡を保持する保持部３４が形成されている。保持部材３２は、ガス滅菌に対する耐熱性、耐薬品性を有し、内視鏡を保持可能な弾性を有する材料、例えば、シリコーンゴム、フッ素ゴム等の柔軟なゴム材料によって形成されている。
【００１９】
図３Ａ乃至図３Ｃを参照し、滅菌トレー２４には、保持部材３２を滅菌トレー２４に固定するために挿通孔３６が形成されている。本実施形態では、挿通孔３６は長溝状を有し、挿通孔３６の一端部は、挿通孔３６の長手方向に延び挿通孔３６の他の部分よりも幅広の長丸穴状を有する。以下では、挿通孔３６の長丸穴状の一端部を挿脱端部３８ａ、他端部を固定端部３８ｂと称する。そして、保持部材３２の基端部は、挿通孔３６に挿通されて滅菌トレー２４に固定される固定部４０を形成している。即ち、保持部材３２の基端部の両側面には、夫々、固定溝４２が延設されている。両固定溝４２に、挿通孔３６の両側壁をなす滅菌トレー２４の底壁が夫々嵌入されて、保持部材３２の基端部が滅菌トレー２４に固定されている。保持部材３２の基端部の一端側は挿通孔３６の挿脱端部３８ａに配置されており、他端側は挿通孔３６の固定端部３８ｂの底壁に当接されている。以下では、保持部材３２の基端部の一端側を挿脱側部４４ａ、他端側を固定側部４４ｂと称する。
【００２０】
図４Ａ及び図４Ｂを参照し、保持部材３２の固定部４０と滅菌トレー２４の底壁とは、挿通孔３６の挿脱端部３８ａを除いて、隙間なく嵌合されている。一方で、挿通孔３６の挿脱端部３８ａは幅広の長丸穴状をなすため、挿通孔３６の挿脱端部３８ａにおいて、保持部材３２の固定部４０と滅菌トレー２４の底壁との間に隙間が形成されている。即ち、長丸穴状の挿脱端部３８ａの周縁部分からなる隙間部４６により、滅菌トレー２４の外部と内部とを連通する連通部４８が形成されている。ここで、連通部４８を形成する隙間部４６は、滅菌トレー２４と保持部材３２との固定構造に対して、滅菌トレー２４のみに、挿脱端部３８ａを幅広の長丸穴状となす追加工を施すことにより形成されている。
【００２１】
図５及び図６を参照し、滅菌ケース２０は特定の内視鏡２２を対象にして設計されており、多数の保持部材３２の配置、各保時部材の保持部３４の形状は、内視鏡２２をガス滅菌に適した配置に保持して、滅菌毎に均一な滅菌効果が得られるように選択されている。滅菌トレー２４の底壁の上面には、内視鏡２２の適切な配置を示す指標４７が描画されている。ここで、内視鏡２２では、体腔内に挿入される細長い挿入部４９の基端部に、操作者に把持操作される操作部５０が連結されている。挿入部４９の先端部から操作部５０まで、処置具を挿通するための処置具チャンネルが延設されている。処置具チャンネルの先端部は挿入部４９の先端部で開口して先端開口５１を形成しており、処置具チャンネルの基端部は、操作部５０において、処置具を挿入するための処置具挿入口に接続されている。滅菌トレー２４の保持部材３２によって内視鏡２２を適切な配置に保持した場合には、処置具チャンネルに滅菌ガスが充分に導入されるように、処置具チャンネルの先端開口５１及び処置具挿入口は滅菌トレー２４の通気孔２８に対面して配置される。
【００２２】
次に、本実施形態の滅菌トレー２４の使用方法について説明する。
【００２３】
内視鏡２２を滅菌する際には、滅菌トレー２４に内視鏡２２を収容する。即ち、滅菌トレー２４の底壁の上面の指標４７に従い、保持部材３２の保持部３４に内視鏡２２の各部分を押し込んで、保持部３４によって内視鏡２２の各部分を保持する。この結果、内視鏡２２はガス滅菌に適した配置に保持されることになり、特に処置具チャンネルの先端開口５１と処置具挿入口とは滅菌トレー２４の通気孔２８に対面して配置される。続いて、滅菌トレー２４に滅菌カバー２６を覆設し、滅菌ケース２０を滅菌庫内に投入する。滅菌庫内では、複数の滅菌ケース２０が突起部３０を介して順次重畳される。そして、滅菌庫において、滅菌ケース２０ごと内視鏡２２がガス滅菌される。ガス滅菌として、例えば、エチレンオキサイド滅菌、低温プラズマ滅菌、高温高圧の水蒸気を用いるオートクレーブ滅菌がなされる。ガス滅菌中、滅菌ガスは滅菌カバー２６及び滅菌トレー２４の通気孔２８を介して滅菌ケース２０内に導入される。特に、挿通孔３６の挿脱端部３８ａにおいて、保持部材３２の固定部４０と滅菌トレー２４の底壁との間に隙間部４６により連通部４８が形成されており、この連通部４８を介して、滅菌ガスが導入されにくい保持部材３２の近傍に滅菌ガスが充分に導入される。また、処置具チャンネルの先端開口５１及び処置具挿入口に夫々対面して通気孔２８が配置されているため、先端開口５１及び処置具挿入口を介して、狭窄で長尺なために滅菌ガスが導入されにくい処置具チャンネルに滅菌ガスが充分に導入される。このようにして、内視鏡２２を滅菌する。
【００２４】
ここで、保持部材３２は弾性を有し、内視鏡２２が度々着脱されるため、滅菌トレー２４や滅菌カバー２６に比較して損傷しやすい。保持部材３２が損傷した場合には、保持部材３２を交換することになる。まず、滅菌トレー２４から保持部材３２を取り外す。即ち、保持部材３２を挿通孔３６の固定端部３８ｂ側から挿脱端部３８ａ側へと引っ張って、保持部材３２の固定溝４２において滅菌トレー２４の底壁を摺動させつつ、保持部材３２の基端部を挿通孔３６の長手方向に沿って移動させていき、保持部材３２の弾性と隙間部４６のスペースを利用して、挿通孔３６の挿脱端部３８ａから保持部材３２を引き抜いていく。続いて、新たな保持部材３２を滅菌トレー２４に固定する。即ち、保持部材３２の弾性と隙間部４６のスペースを利用して、保持部材３２の固定側部４４ｂを挿通孔３６の挿脱端部３８ａに挿入して、挿通孔３６の両側壁をなす滅菌トレー２４の底壁を固定溝４２内に挿入し、挿通孔３６の固定端部３８ｂの底壁に保持部材３２の固定側部４４ｂが当接されるまで、固定溝４２内で滅菌トレー２４の底壁を摺動させつつ、保持部材３２の基端部を挿通孔３６の長手方向に沿って移動させていく。
【００２５】
従って、本実施形態の滅菌ケース２０は次の効果を奏する。
【００２６】
本実施形態の滅菌ケース２０では、滅菌トレー２４に固定されている保持部材３２により、内視鏡２２をガス滅菌に適した配置に確実に保持することができる。また、挿通孔３６の挿脱端部３８ａにおいて、保持部材３２の挿脱端部３８ａと滅菌トレー２４の底壁との間の隙間部４６により連通部４８が形成されており、この連通部４８によって滅菌ケース２０内の内視鏡２２へと充分に滅菌ガスを導入することができる。このため、内視鏡２２を確実にガス滅菌することが可能となっている。
【００２７】
また、挿通孔３６の挿脱端部３８ａに保持部材３２を挿脱する際に、滅菌トレー２４に形成されている隙間部４６のスペースを利用することで、保持部材３２を容易に挿脱することが可能となっている。
【００２８】
図７は、本発明の第１実施形態の第１変形例を示す。  
本変形例の挿通孔３６では、挿通孔３６の一端部及び長手方向の中央部が幅広の長丸穴状を有する。即ち、挿通孔３６の一端部及び中央部において連通部４８が形成されることになり、滅菌ガスを充分に導入することが可能となっている。
【００２９】
図８は、本発明の第１実施形態の第２変形例を示す。  
本変形例の挿通孔３６では、挿通孔３６の両端部が幅広の長丸穴状を有する。即ち、挿通孔３６の両端部において、連通部４８が形成されることになり、第１変形例と同様に、滅菌ガスを充分に導入することが可能となっている。また、挿通孔３６の両端側のどちら側からでも挿通孔３６に保持部材３２を挿脱することができ、滅菌トレー２４に保持部材３２を容易に挿脱することが可能となっている。
【００３０】
図９は、本発明の第２実施形態を示す。  
本実施形態の挿通孔３６では、挿脱端部３８ａが固定端部３８ｂ側へと幅の減少するテーパ形状をなしており、このテーパ形状によって、保持部材３２の挿脱側部４４ａを挿通孔３６へと誘導する誘導部５２が形成されている。挿通孔３６の挿脱端部３８ａに保持部材３２の挿脱側部４４ａを挿入する際には、誘導部５２において、滅菌トレー２４の底壁が保持部材３２の固定溝４２に挿入されて摺動され、保持部材３２の挿脱側部４４ａが挿通孔３６へと誘導される。このため、保持部材３２を容易に挿入することが可能となっている。
【００３１】
図１０乃至図１２は、本発明の第３実施形態を示す。
【００３２】
本実施形態の挿通孔３６は長溝状である。そして、保持部材３２の基端部には、両固定溝４２に略直行して貫通孔５４が延設されている。この貫通孔５４により、保持部材３２の固定部４０と滅菌トレー２４の底壁との間に位置される隙間部４６が形成されている。そして、隙間部４６により、滅菌トレー２４の外部と内部とを連通する連通部４８が形成されている。第１実施形態と同様に、ガス滅菌の際には、滅菌トレー２４の外部から内部へと連通部４８を介して滅菌ガスが導入される。ここで、連通部４８を形成する隙間部４６は、滅菌トレー２４と保持部材３２との固定構造に対して、保持部材３２のみに、貫通孔５４を形成する追加工を施すことにより形成されている。このため、連通部４８の形成されていない滅菌ケース２０について、保持部材３２の交換に際して、貫通孔５４が形成されている保持部材３２を用いるだけで、連通部４８が形成されている滅菌ケース２０を形成することができ、滅菌ケース２０を安価に形成することが可能となっている。
【００３３】
図１３及び図１４は、本発明の第３実施形態の変形例を示す。
【００３４】
本変形例の保持部材３２では、保持部材３２の基端部の両側面に、夫々、保持部材３２の基端から先端側へと凹部５６が延設されている。これら凹部５６により、保持部材３２と滅菌トレー２４の底壁との間に位置される隙間部４６が形成されている。そして、各隙間部４６により、滅菌トレー２４の外部と内部とを連通する連通部４８が形成されている。
【００３５】
上述した実施形態では、内視鏡を例として説明したが、本発明は、ガス滅菌が施される様々な医療器具、例えば、各種処置具にも適用可能である。
【００３６】
また、滅菌ガスが導入されにくい処置具チャンネルの先端開口及び処置具挿入口を滅菌トレーの送気孔に対面して配置するようにしているが、滅菌ガスが導入されにくい他のチャンネルの開口部、例えば、送気送水チャンネルの先端開口、基端開口を送気孔に対面して配置するようにしてもよい。
【図面の簡単な説明】
【００３７】
【図１】本発明の第１実施形態の滅菌ケースを示す斜視図。
【図２】本発明の第１実施形態の滅菌トレー及び保持部材を示す斜視図。
【図３Ａ】本発明の第１実施形態の挿通孔を示す上面図。
【図３Ｂ】本発明の第１実施形態の保持部材を示す斜視図。
【図３Ｃ】本発明の第１実施形態の挿通孔及び保持部材を示す上面図。
【図４Ａ】本発明の第１実施形態の挿通孔及び保持部材の一端側を示す横断面図。
【図４Ｂ】本発明の第１実施形態の挿通孔及び保持部材の他端側を示す横断面図。
【図５】本発明の第１実施形態の滅菌ケースにおける内視鏡の配置を示す上面図。
【図６】本発明の第１実施形態の滅菌ケースにおける処置具チャンネルの先端開口と送気孔との配置を示す斜視図。
【図７】本発明の第１実施形態の第１変形例の挿通孔を示す上面図。
【図８】本発明の第１実施形態の第２変形例の挿通孔を示す上面図。
【図９】本発明の第２実施形態の挿通孔を示す上面図。
【図１０】本発明の第３実施形態の挿通孔を示す上面図。
【図１１】本発明の第３実施形態の保持部材を示す斜視図。
【図１２】本発明の第３実施形態の挿通孔及び保持部材を示す横断面図。
【図１３】本発明の第４実施形態の保持部材を示す斜視図。
【図１４】本発明の第４実施形態の挿通孔及び保持部材を示す横断面図。
【符号の説明】
【００３８】
２０…滅菌ケース、２２…医療器具（内視鏡）、２４…滅菌トレー、３２…保持部材、３４…保持部、３６…挿通孔、４０…固定部、４６…隙間部、４８…連通部、５２…誘導部。
【図１】
2008253567.tif 000003
【図２】
2008253567.tif 000004
【図３Ａ】
2008253567.tif 000005
【図３Ｂ】
2008253567.tif 000006
【図３Ｃ】
2008253567.tif 000007
【図４Ａ】
2008253567.tif 000008
【図４Ｂ】
2008253567.tif 000009
【図５】
2008253567.tif 000010
【図６】
2008253567.tif 000011
【図７】
2008253567.tif 000012
【図８】
2008253567.tif 000013
【図９】
2008253567.tif 000014
【図１０】
2008253567.tif 000015
【図１１】
2008253567.tif 000016
【図１２】
2008253567.tif 000017
【図１３】
2008253567.tif 000018
【図１４】
2008253567.tif 000019